(57)【特許請求の範囲】
【請求項１】
車両外側に位置するドアアウタパネルと、車両内側に位置するドアインナパネルと、ドアガラスによって開閉される開口部と、前記ドアアウタパネルと前記ドアインナパネルとの間であって前記開口部の車両前方側に配設されてドアミラーを固定するドアサイドミラーリンフォースと、前記ドアガラスの前方を案内するガイドレールとを備える車両用フロントドア構造において、
前記ガイドレールは前記ドアインナパネルに対向する第一側面部、前記ドアガラスの車両前方側の端部に対向する第二側面部および前記ドアアウタパネルに対向する第三側面部からなる断面視略コの字状に形成され、
前記ドアサイドミラーリンフォースは、前記ドアインナパネル側に配置される一方、前記ドアミラーの取付け部に対応する部分が前記ガイドレールの前記第二側面部に沿って車両外側へ向かって突出して凸面部を形成し、
前記ドアアウタパネルは前記ガイドレールの第三側面部に対向する位置から前記ドアサイドミラーリンフォースの凸面部に対向する位置までの部分が断面視直線状に形成され、
前記凸面部が前記ドアアウタパネルの断面視直線状の部分と重ね合わされ、
前記ドアサイドミラーリンフォースの前記開口部側の側端部が、前記ドアインナパネルの前記開口部側の側端部と前記ガイドレールの第一側面部とによって挟み込まれた状態で前記ドアインナパネルの側端部と前記ガイドレールの第一側面部とに接合された
ことを特徴とする車両用フロントドア構造。
【請求項２】
前記ドアインナパネルの前記開口部側の側端部を、前記ガイドレールの前記第一側面部の開口部側の側端部と前記ドアサイドミラーリンフォースの前記開口部側の側端部を挟み込んだ状態で前記ガイドレールの前記開口部側の側端部に沿って折り曲げるヘミング加工により、前記ドアサイドミラーリンフォースの前記開口部側の側端部が、前記ドアインナパネルの前記開口部側の側端部と前記ガイドレールの第一側面部とに接合された
ことを特徴とする請求項１記載の車両用フロントドア構造。
【発明の詳細な説明】
【技術分野】
【０００１】
本発明は、車両用フロントドア構造に関し、特にドアミラー固定部にドアミラー取付用の補強部材を備えた車両用フロントドア構造に関する。
【背景技術】
【０００２】
車両用フロントドアを構成するドア本体は、主にドアアウタパネルとドアインナパネルとで構成されており、その開口部に該開口部を開閉するドアガラスが昇降可能に取り付けられている。このような車両用フロントドアの構造において、例えばドアミラーの取付部など、上記開口部の付け根部分における剛性がドアの開閉強度耐久性や高速走行時の空気の吸い出し音に大きく影響することが知られている。
【０００３】
従来、ドア本体と、ドア本体に設けられたドアガラスの窓枠部を形成するドアサッシュと、ドアサッシュの前枠部の中間よりドア本体側へ延びてドアガラスの前方をガイドするガイドレールと、ドアサッシュの前枠部とガイドレールとで形成される車両の前端コーナー部に設けられ、その下部がドアインナパネルに固定されるとともにドアミラーの固定に用いられる補強部材とを有する車両用フロントドアの構造において、ドアアウタパネルおよびドアインナパネルにドアサッシュの前部枠および補強部材に重合する重合部を設け、この重合部をドアサッシュの前部枠および補強部材と固定することによってドアの剛性を向上させるようにしたものがある（例えば、特許文献１参照）。
【０００４】
また、上述した特許文献１に開示されたような車両用フロントドアの構造において、ドアサッシュの前枠部に延長部を延設するとともに、補強部材の上記延長部に対応する部分に打ち出し部を形成し、延長部と打ち出し部とを固定することによってドアサッシュと補強部材との固定箇所を増やしドアのサッシュ剛性を向上させるようにしたものもある（例えば、特許文献２参照）。
【先行技術文献】
【特許文献】
【０００５】
【特許文献１】特開平１１−３４２７４５号公報
【特許文献２】特開２００５−２６３１４１号公報
【発明の概要】
【発明が解決しようとする課題】
【０００６】
しかしながら、上述したような従来のフロントドア構造にあっては、上記補強部材とガイドレールとが、補強部材の後端側をドアアウタパネル側に屈曲させることによって形成した側端部と、断面視コの字状のガイドレールの底面部分（車両前方側で上下に延びる面）とを溶接等で固定することにより接合されていた。すなわち、補強部材とガイドレールの二枚の部材を仮止めしただけの構成となっていた。一方で、車両用フロントドア構造においてはドアガラスによって開閉される開口部の付け根部分における剛性のさらなる向上が求められていた。
【０００７】
このようなことから本発明は、車両用フロントドアのドアガラスにより開閉される開口部の付け根部分の剛性をより向上させることが可能な車両用フロントドア構造を提供することを目的とする。
【課題を解決するための手段】
【０００８】
上記の課題を解決するための第１の発明に係る車両用フロントドア構造は、車両外側に位置するドアアウタパネルと、車両内側に位置するドアインナパネルと、ドアガラスによって開閉される開口部と、前記ドアアウタパネルと前記ドアインナパネルとの間であって前記開口部の車両前方側に配設されてドアミラーを固定するドアサイドミラーリンフォースと、前記ドアガラスの前方を案内するガイドレールとを備える車両用フロントドア構造において、前記ガイドレールは前記ドアインナパネルに対向する第一側面部、前記ドアガラスの車両前方側の端部に対向する第二側面部および前記ドアアウタパネルに対向する第三側面部からなる断面視略コの字状に形成され、前記ドアサイドミラーリンフォースは、前記ドアインナパネル側に配置される一方、前記ドアミラーの取付け部に対応する部分が前記ガイドレールの前記第二側面部に沿って車両外側へ向かって突出して凸面部を形成し、前記ドアアウタパネルは前記ガイドレールの第三側面部に対向する位置から前記ドアサイドミラーリンフォースの凸面部に対向する位置までの部分が断面視直線状に形成され、前記凸面部が前記ドアアウタパネルの断面視直線状の部分と重ね合わされ、前記ドアサイドミラーリンフォースの前記開口部側の側端部が、前記ドアインナパネルの前記開口部側の側端部と前記ガイドレールの第一側面部とによって挟み込まれた状態で前記ドアインナパネルの側端部と前記ガイドレールの第一側面部とに接合されたことを特徴とする。
【０００９】
上記の課題を解決するための第２の発明に係る車両用フロントドア構造は、第１の発明に係る車両用フロントドア構造において、前記ドアインナパネルの前記開口部側の側端部を、前記ガイドレールの前記第一側面部の開口部側の側端部と前記ドアサイドミラーリンフォースの前記開口部側の側端部を挟み込んだ状態で前記ガイドレールの前記開口部側の側端部に沿って折り曲げるヘミング加工により、前記ドアサイドミラーリンフォースの前記開口部側の側端部が、前記ドアインナパネルの前記開口部側の側端部と前記ガイドレールの第一側面部とに接合されたことを特徴とする。
【発明の効果】
【００１０】
上述した第１の発明に係る車両用フロントドア構造によれば、車両外側に位置するドアアウタパネルと、車両内側に位置するドアインナパネルと、ドアガラスによって開閉される開口部と、ドアアウタパネルとドアインナパネルとの間であって開口部の車両前方側に配設されてドアミラーを固定するドアサイドミラーリンフォースと、ドアガラスの前方を案内するガイドレールとを備える車両用フロントドア構造において、ガイドレールはドアインナパネルに対向する第一側面部、ドアガラスの車両前方側の端部に対向する第二側面部およびドアアウタパネルに対向する第三側面部からなる断面視略コの字状に形成され、ドアサイドミラーリンフォースは、ドアインナパネル側に配置される一方、ドアミラーの取付け部に対応する部分がガイドレールの第二側面部に沿って車両外側へ向かって突出して凸面部を形成し、ドアアウタパネルはガイドレールの第三側面部に対向する位置からドアサイドミラーリンフォースの凸面部に対向する位置までの部分が断面視直線状に形成され、凸面部がドアアウタパネルの断面視直線状の部分と重ね合わされ、ドアサイドミラーリンフォースの開口部側の側端部が、ドアインナパネルの開口部側の側端部とガイドレールの第一側面部とによって挟み込まれた状態でドアインナパネルの側端部とガイドレールの第一側面部とに接合されたので、ドアミラーを固定するために設けられるドアサイドミラーリンフォースを利用して、新たな部材を追加することなくドアガラスによって開閉される開口部の付け根部分の剛性を向上させることができる。
【００１１】
また、上述した第２の発明に係る車両用フロントドア構造によれば、ドアインナパネルの開口部側の側端部を、ガイドレールの第一側面部の開口部側の側端部とドアサイドミラーリンフォースの開口部側の側端部を挟み込んだ状態でガイドレールの開口部側の側端部に沿って折り曲げるヘミング加工により、ドアサイドミラーリンフォースの開口部側の側端部が、ドアインナパネルの開口部側の側端部とガイドレールの第一側面部とに接合されたので、ドアガラスによって開閉される開口部の付け根部分の剛性をより向上させることができる。
【図面の簡単な説明】
【００１２】
【図１】本発明の実施例に係る車両用フロントドア構造を示す斜視図である。
【図２】図１のII−II矢視断面図である。
【図３】図１のIII−III矢視断面図である。
【図４】本発明の実施例に係る車両用フロントドア構造が適用されるサイドミラー取付け部を示す側面図である。
【発明を実施するための形態】
【００１３】
以下、図面を参照しつつ本発明に係る車両用フロントドア構造を詳細に説明する。
【実施例】
【００１４】
図１乃至図４を用いて本発明に係る車両用フロントドア構造の実施例を説明する。
図４に示すように、車両用フロントドア１にあっては、ドアガラス３によって開閉される開口部の車両前方側にドアミラー２が取り付けられる。このドアミラー２の取付け部（以下、ドアミラー取付け部という）近傍におけるフロントドア１の内部は図１に示すような構造を有している。
【００１５】
図１はドアアウタパネル１１（図２，３参照）を取り外して車両用フロントドア１の前端コーナー部を車外から見た状態を示す斜視図である。図１に示すように、車両用フロントドア１のドア本体を構成するドアインナパネル１２にはドアガラス３によって開閉される開口部１２ａが形成されている。図示はしないがドアアウタパネル１１についても同様にドアガラス３によって開閉される開口部が形成されている。
【００１６】
そして、図１乃至図３に示すように、車両用フロントドア１の開口部１２ａの車両前方側において、ドアアウタパネル１１とドアインナパネル１２との間にはドアサイドミラーリンフォース１３とガイドレール１４とが設けられている。
【００１７】
ドアサイドミラーリンフォース１３はドアミラー２を固定する目的で配設される板状の部材であり、開口部１２ａの車両前方側においてドアインナパネル１２に固定されている。ドアサイドミラーリンフォース１３には、ドアミラー取付け部に対応する部分に凸面部１３ａが設けられている。凸面部１３ａにはミラー取付用穴１３ｂ，１３ｃが設けられており、ドアアウタパネル１１に設けられた取付用穴１１ａ，１１ｂを介してドアミラー２が固定される。
【００１８】
ガイドレール１４はドアガラス３の前方を案内するように第一側面部１４ａ、第二側面部１４ｂ、第三側面部１４ｃからなる断面視略コの字状に形成されており、開口部１２ａ前方に下方に向かって延設されている。このガイドレール１４の第一側面部１４ａはドアインナパネル１２に対向し、第三側面部１４ｃはドアアウタパネル１１に対向し、第二側面部１４ｂはドアガラス３の車両前方側の端部に対向している。
【００１９】
そして、本実施例においては、図２および図３に示すようにドアサイドミラーリンフォース１３の側端部１３ｄが、ドアインナパネル１２の側端部１２ｂとガイドレール１４の第一側面部１４ａとの間に挟み込まれるように配設されている。換言すると、ドアインナパネル１２、ドアサイドミラーリンフォース１３、およびガイドレール１４はその開口部１２ａ側の部分が重なり合った状態となっている。そしてこの重なり合った部分が三枚ヘミング加工により接合されている。
【００２０】
なお、図２中に示す符号１２ｃ、１３ｅはそれぞれドアインナパネル１２、ドアサイドミラーリンフォース１３に設けられた作業用の穴である。
【００２１】
以下に、上述した本実施例に係る車両用フロントドア構造による作用効果について説明する。本実施例に係る車両用フロントドア構造にあっては、上述したようにドアガラス３によって開閉される開口部１２ａの前方に位置するドアインナパネル１２の側端部１２ｂとガイドレール１４の第一側面部１４ａとの間に、ドアサイドミラーリンフォース１３の側端部１３ｄを挟み込み、これら三枚の部材を接合する構成としている。
【００２２】
このため、ドアアウタパネル１１、ドアインナパネル１２、およびドアサイドミラーリンフォース１３の三枚の部材によって、ドアミラー取付け部の剛性を確保することとなり、従来、補強部材の側端部を車両外側へ屈曲させ、この屈曲した部分とガイドレール１４の底面部１３ｂとの二枚の部材を重ねてこれを仮止めしていた構造に比較して、車両用フロントドア１のドアガラス３によって開閉される開口部１２ａの付け根部分の剛性を向上させることができる。
【００２３】
しかも、従来、ドアミラー取付け部の剛性の向上に寄与していなかったドアサイドミラーリンフォース１３を用いることにより、新たな部材を追加することなくドアガラス３によって開閉される開口部１２ａの付け根部分の剛性を向上させることが可能となる。
【００２４】
なお、上述した実施例では、ドアインナパネル１２の側端部１２ｂと、ドアサイドミラーリンフォース１３の側端部１３ｄと、ガイドレール１４の第一側面部１４ａとを三枚ヘミング加工により接合する例を示したが、これらを接合する方法は三枚ヘミング加工に限らず、例えばスポット溶接など、ドアガラス３によって開閉される開口部１２ａの前方に位置するドアインナパネル１２の側端部１２ｂとガイドレール１４の第一側面部１４ａとの間に、ドアサイドミラーリンフォース１３の側端部１３ｄを挟み込んだ状態で接合するようにすればよく、本発明の趣旨を逸脱しない範囲で種々の変更が可能であることは言うまでもない。
【産業上の利用可能性】
【００２５】
本発明は、ドアミラー固定部にドアミラー取付用の補強部材を備える車両用フロントドア構造に適用して好適なものである。
【符号の説明】
【００２６】
１  フロントドア
２  ドアミラー
３  ドアガラス
１１  ドアアウタパネル
１２  ドアインナパネル
１２ａ  開口部
１２ｂ  側端部
１３  ドアサイドミラーリンフォース
１３ａ  凸面部
１３ｄ  側端部
１４  ガイドレール
１４ａ  第一側面部
１４ｂ  第二側面部
１４ｃ  第三側面部
【図１】
0005691879.tif 000002
【図２】
0005691879.tif 000003
【図３】
0005691879.tif 000004
【図４】
0005691879.tif 000005